(57)【要約】【課題】  操作パネル操作中であっても、状況に応じて操作パネル操作者以外からのプリントジョブの実行を行えるようにした画像処理装置およびその制御方法および制御プログラムを提供する。【解決手段】  操作パネル１０操作中に操作パネル１０操作者以外からプリントジョブを受信した場合には、操作パネル状態判別部１０１が操作パネル１０でなされている操作が自装置の制御に係わる操作か否かを判別し、自装置の制御に係わる操作であれば、ジョブ制御部１０３によってプリントジョブの実行が行われる。また、操作パネル１０から外部アクセス中であっても、ジョブ発行元判別部１０２によってプリントジョブ発行元と、外部アクセス先とが同一であると判別されたならば、プリントジョブの実行を行う。【選択図】  図６
2006092182.tif 000002
【特許請求の範囲】
【請求項１】
操作パネルを有して、該操作パネルからの操作によりネットワークにアクセス可能な画像処理装置において、
前記操作パネルで行われる操作が、自装置に係わる制御であるか否かを判別する判別手段と、
前記ネットワークからプリントジョブを受信するジョブ受信手段と、
前記受信手段でプリントジョブ受信に際して、前記操作パネルが操作中でかつ、前記判別手段で自装置に係わる制御であると判別された場合に、前記受信手段で受信したプリントジョブを実行するジョブ制御手段と
を具備することを特徴とする画像処理装置。
【請求項２】
前記受信手段で受信したプリントジョブが、前記操作パネルからの操作によって前記ネットワークを経由してアクセス中の外部サーバからのプリントジョブか否かを判別するジョブ発行元判別手段
を更に具備し、
前記ジョブ制御手段は、
前記受信手段でプリントジョブ受信に際して、前記操作パネルが操作中でかつ、前記ジョブ発行元判別手段でアクセス中の外部サーバからのプリントジョブと判別された場合に、前記受信手段で受信したプリントジョブを実行する
ことを特徴とする請求項１記載の画像処理装置。
【請求項３】
前記ジョブ発行元判別手段は、
前記操作パネルからの操作によって前記ネットワークを経由してアクセス中の外部サーバにジョブ識別ＩＤを送信するジョブＩＤ送信手段と、
前記受信手段で受信したプリントジョブが前記ジョブ識別ＩＤ付きのプリントジョブか否かを判別するジョブＩＤ判別手段と
を具備し、
前記ジョブ制御手段は、
前記受信手段でプリントジョブ受信に際して、前記操作パネルが操作中でかつ、前記ジョブＩＤ判別手段でジョブ識別ＩＤ付きのプリントジョブと判別された場合に、前記受信手段で受信したプリントジョブを実行する
ことを特徴とする請求項１記載の画像処理装置。
【請求項４】
操作パネルを有して、該操作パネルからの操作によりネットワークにアクセス可能な画像処理装置の制御方法において、
前記操作パネルで行われる操作が、自装置に係わる制御であるか否かを判別手段で判別し、
前記ネットワークから受信手段でプリントジョブ受信に際して、前記操作パネルが操作中でかつ、前記判別手段で自装置に係わる制御であると判別された場合、若しくは前記操作パネルが操作中でかつ、ジョブ発行元判別手段でアクセス中の外部サーバからのプリントジョブと判別された場合に、前記受信手段で受信したプリントジョブをジョブ制御手段で実行する
ことを特徴とする制御方法。
【請求項５】
操作パネルを有して、該操作パネルからの操作によりネットワークにアクセス可能な画像処理装置の処理をコンピュータに実行させる制御プログラムであって、
前記操作パネルで行われる操作が、自装置に係わる制御であるか否かを判別する判別ステップと、
前記ネットワークからプリントジョブを受信するジョブ受信ステップと、
前記受信ステップで受信したプリントジョブが、前記操作パネルからの操作によって前記ネットワークを経由してアクセス中の外部サーバからのプリントジョブか否かを判別するジョブ発行元判別ステップと、
前記受信ステップでプリントジョブ受信に際して、前記操作パネルが操作中でかつ、前記判別ステップで自装置に係わる制御であると判別された場合、若しくは前記操作パネルが操作中でかつ、前記ジョブ発行元判別ステップでアクセス中の外部サーバからのプリントジョブと判別された場合に、前記受信ステップで受信したプリントジョブを実行するジョブ制御ステップと
を含むことを特徴とする制御プログラム。
【発明の詳細な説明】
【技術分野】
【０００１】
本発明は、操作パネルを有して、該操作パネルからの操作によりネットワークにアクセス可能な画像処理装置およびその制御方法および制御プログラムに係わり、詳しくは、操作パネル操作中であっても、状況に応じて操作パネル操作者以外からのプリントジョブの実行を行えるようにした画像処理装置およびその制御方法および制御プログラムに関する。
【背景技術】
【０００２】
従来、コピー機、複合機などの画像処理装置においては、ユーザ指示の入力等が行える操作パネルが配設されている。
【０００３】
この種の操作パネルに関する技術には、例えば、特許文献１に記載された「画像処理システム」が知られている。
【０００４】
この特許文献１の発明は、操作パネルにｗｅｂ（World Wide Web）ブラウザを搭載し、ｗｅｂブラウザの表示機能により各種の画面を表示する。すなわち、ＨＴＭＬ（Hyper Text Markup Language）データで構成された画面を表示できることで、画面レイアウトの変更を容易にするという技術である。
【０００５】
また、画像処理装置がネットワークに接続されているならば、操作パネルのｗｅｂブラウザ機能により、ネットワークを経由して外部サーバへアクセスし、該外部サーバで管理される文書一覧をｗｅｂブラウザ上に表示する。ユーザは一覧から所望の文書を選択することで外部サーバ上の文書を容易に印刷することができる。
【特許文献１】特開２００２−０８６８４７号
【発明の開示】
【発明が解決しようとする課題】
【０００６】
ところで、上記特許文献１の発明や従来の画像処理装置においては、操作パネル操作者によるプリントジョブの実行を優先させるため、操作パネル操作中は、ネットワーク経由で受信するプリントジョブなど操作者以外からのプリントジョブの実行を一切禁止していた。
【０００７】
そのため、操作者以外のユーザはプリントジョブ実行が待たされることとなり、画像処理装置の使用効率が適正ではなかった。
【０００８】
そこで、本発明は上記問題点に鑑みてなされたものであり、操作パネル操作中であっても、状況に応じて操作パネル操作者以外からのプリントジョブの実行を行えるようにした画像処理装置およびその制御方法および制御プログラムを提供することを目的とする。
【課題を解決するための手段】
【０００９】
上記目的を達成するために、請求項１の発明は、操作パネルを有して、該操作パネルからの操作によりネットワークにアクセス可能な画像処理装置において、前記操作パネルで行われる操作が、自装置に係わる制御であるか否かを判別する判別手段と、前記ネットワークからプリントジョブを受信するジョブ受信手段と、前記受信手段でプリントジョブ受信に際して、前記操作パネルが操作中でかつ、前記判別手段で自装置に係わる制御であると判別された場合に、前記受信手段で受信したプリントジョブを実行するジョブ制御手段とを具備することを特徴とする。
【００１０】
また、請求項２の発明は、請求項１の発明において、前記受信手段で受信したプリントジョブが、前記操作パネルからの操作によって前記ネットワークを経由してアクセス中の外部サーバからのプリントジョブか否かを判別するジョブ発行元判別手段を更に具備し、前記ジョブ制御手段は、前記受信手段でプリントジョブ受信に際して、前記操作パネルが操作中でかつ、前記ジョブ発行元判別手段でアクセス中の外部サーバからのプリントジョブと判別された場合に、前記受信手段で受信したプリントジョブを実行することを特徴とする。
【００１１】
また、請求項３の発明は、請求項１の発明において、前記ジョブ発行元判別手段は、前記操作パネルからの操作によって前記ネットワークを経由してアクセス中の外部サーバにジョブ識別ＩＤを送信するジョブＩＤ送信手段と、前記受信手段で受信したプリントジョブが前記ジョブ識別ＩＤ付きのプリントジョブか否かを判別するジョブＩＤ判別手段とを具備し、前記ジョブ制御手段は、前記受信手段でプリントジョブ受信に際して、前記操作パネルが操作中でかつ、前記ジョブＩＤ判別手段でジョブ識別ＩＤ付きのプリントジョブと判別された場合に、前記受信手段で受信したプリントジョブを実行することを特徴とする。
【００１２】
また、請求項４の発明は、操作パネルを有して、該操作パネルからの操作によりネットワークにアクセス可能な画像処理装置の制御方法において、前記操作パネルで行われる操作が、自装置に係わる制御であるか否かを判別手段で判別し、前記ネットワークから受信手段でプリントジョブ受信に際して、前記操作パネルが操作中でかつ、前記判別手段で自装置に係わる制御であると判別された場合、若しくは前記操作パネルが操作中でかつ、ジョブ発行元判別手段でアクセス中の外部サーバからのプリントジョブと判別された場合に、前記受信手段で受信したプリントジョブをジョブ制御手段で実行することを特徴とする。
【００１３】
また、請求項５の発明は、操作パネルを有して、該操作パネルからの操作によりネットワークにアクセス可能な画像処理装置の処理をコンピュータに実行させる制御プログラムであって、前記操作パネルで行われる操作が、自装置に係わる制御であるか否かを判別する判別ステップと、前記ネットワークからプリントジョブを受信するジョブ受信ステップと、前記受信ステップで受信したプリントジョブが、前記操作パネルからの操作によって前記ネットワークを経由してアクセス中の外部サーバからのプリントジョブか否かを判別するジョブ発行元判別ステップと、前記受信ステップでプリントジョブ受信に際して、前記操作パネルが操作中でかつ、前記判別ステップで自装置に係わる制御であると判別された場合、若しくは前記操作パネルが操作中でかつ、前記ジョブ発行元判別ステップでアクセス中の外部サーバからのプリントジョブと判別された場合に、前記受信ステップで受信したプリントジョブを実行するジョブ制御ステップとを含むことを特徴とする。
【発明の効果】
【００１４】
本発明によれば、プリントジョブ受信に際して操作パネルが操作中である場合に、操作パネルでなされている操作が自装置に係わる制御であるか否かを判別し、自装置に係わる制御であると判別された場合、若しくは操作パネルで外部アクセス操作中に、該アクセス中の外部サーバからのプリントジョブと判別された場合は、受信したプリントジョブを実行するように構成したため、画像処理装置の使用効率を向上させることができる。また、操作パネル操作者以外のユーザが長時間ジョブ実行を待たされるということを抑止することができる。
【発明を実施するための最良の形態】
【００１５】
以下、この発明に係わる画像処理装置およびその制御方法および制御プログラムの実施例について添付図面を参照して詳細に説明する。
【実施例１】
【００１６】
図１は、本発明に係わる画像処理装置を複合機１に適用して構成したシステムの全体構成を示す図である。
【００１７】
図１において、本発明に係わる複合機１は、ネットワーク２に接続され、このネットワーク２を介してアプリケーションサーバ３と接続されている。この他、ネットワーク２には、ユーザが扱うパーソナルコンピュータや、各種データ管理を行うファイルサーバ等が適宜接続されている。以下、これらネットワーク２に接続されているアプリケーションサーバ３を含む端末を総称して外部サーバという。
【００１８】
複合機１には、ユーザインターフェースとして操作パネルが設けられている。この操作パネルは、ｗｅｂブラウザ機能が備わっており、ネットワーク２を経由してアプリケーションサーバ３にアクセス可能である。
【００１９】
アプリケーションサーバ３は、種々の文書ファイル等を管理する文書管理サーバであり、プリントジョブの発行を行うことも可能である。
【００２０】
例えば、アプリケーションサーバ３上の文書ファイルを印刷する場合には、複合機１の操作パネルに備わるｗｅｂブラウザから、ネットワーク２を経由してアプリケーションサーバ３にアクセスする。この操作は図２に示すような画面で接続先のＩＰ（Internet Protocol）アドレス若しくはＵＲＬ（Uniform Resource Locator）を入力することで行える。
【００２１】
アクセス処理が正常に行われると、アプリケーションサーバ３で管理される文書一覧がｗｅｂブラウザ上に表示され、ユーザは一覧から所望する文書を選択し、アプリケーションサーバ３で管理される文書ファイルの印刷を行うことができる。このとき、図３に示すような画面上で、アプリケーションサーバ３で管理される文書の一覧を確認し、かかる画面から所望の文書を選択する。
【００２２】
なお、上記図１に示した構成では、ネットワーク２を介して複合機１とアプリケーションサーバ３とが接続されているが、このネットワーク２は、ＬＡＮ（Local Area Network）で構成されていてもよいし、ＷＡＮ（Wide Area Network）で構成されていてもよく、複合機１が外部サーバと相互に通信が行えればそれで足りる。
【００２３】
図４は、図１に示した複合機１の内部構成を示すブロック図である。なお、上記図１と同一のものには同一の符号を付してある。
【００２４】
図４において、複合機１は大きく分けて、上述した操作パネル１０と、複合機１の統括制御を行うコントローラ部２０と、該コントローラ部２０の指示に基づいて画像入出力処理を行うエンジン部３０とを具備して構成される。
【００２５】
操作パネル１０は、タッチパネルや操作ボタンなどの入力用デバイスと、ＬＥＤ（Light Emitting Diode）、ＬＣＤ（Liquid Crystal Display）などの表示用デバイスを具えたユーザインターフェースである。
【００２６】
先に述べた通り、この操作パネル１０には、ｗｅｂブラウザ機能が備わっており、ユーザが複合機１を操作する際には、ｗｅｂブラウザを表示して、ｗｅｂブラウザ上から複合機１の内部サーバ２４にアクセスする。
【００２７】
コントローラ部２０は、上述した操作パネル１０とデータ授受を行うパネルＩ／Ｆ（Interface）２１と、後述するシステムメモリ２３等に展開されたプログラムに従って、各部の動作制御および管理を行うメインＣＰＵ（Central Processing Unit）２２と、プログラムの実行等を行う際の作業領域であるシステムメモリ２３と、複合機１の設定情報や各種画面データを保持する内部サーバ２４と、画像イメージを一時保存するための画像メモリ２５と、後述する画像入力部３１と入力画像イメージ等のデータ授受を行う入力部Ｉ／Ｆ（Interface）２６と、後述する画像出力部３２と出力画像イメージ等のデータ授受を行う出力部Ｉ／Ｆ（Interface）２７と、ネットワーク２を経由して他装置との通信を行うためのインターフェース装置であるネットワークＩ／Ｆ（Interface）２８と、各種データを記憶するための記憶装置である記憶部２９とを具備して構成される。
【００２８】
エンジン部３０は、用紙などに形成された画像データを読み込むスキャナ装置等の画像入力部３１と、用紙などに画像データを形成するプリンタ装置等の画像出力部３２とを具備して構成される。この構成において、本発明に係わる制御処理は主としてメインＣＰＵ２２において行われる。
【００２９】
上述した内部サーバ２４は、複合機１の設定情報や、操作パネル１０のルックアンドフィール（見映えと使いやすさ）を決めるＨＴＭＬファイルが格納されていて、操作パネル１０のｗｅｂブラウザからこのサーバにアクセスすることにより、複合機１の設定および制御などの操作が可能となる。例えば、操作パネル１０からこの内部サーバ２４にアクセスした場合には、図５に示すような操作画面が表示される。
【００３０】
また、複合機１は、上述したネットワークＩ／Ｆ２８によってネットワーク２と接続され、複合機１からアプリケーションサーバ３へのアクセスや、その他、ネットワーク２上の外部サーバなどからのプリントジョブの受信が可能である。
【００３１】
図６は、図４に示したメインＣＰＵ２２の機能的な構成の一部を示す機能ブロック図である。なお、ここでは、本発明に係わる構成要素のみを挙げて説明する。図４と同一のものは同一の符号を付してある。
【００３２】
図６において、メインＣＰＵ２２は、各種処理機能部として、操作パネル状態判別部１０１と、ジョブ発行元判別部１０２と、ジョブ制御部１０３とを具備して構成される。
【００３３】
操作パネル状態判別部１０１は、操作パネル１０が操作中である場合に、該操作パネル１０でなされている操作内容が、自装置に係わる制御すなわち本実施例においては複合機１に係わる制御であるか否かを判別する処理部である。具体的には、図７で表に示す判断基準によって、この操作パネル状態判別部１０１の判断処理が行われる。
【００３４】
図７に示すように、操作パネル１０のｗｅｂブラウザがループバックアドレス若しくは、複合機１自身のＩＰアドレスにアクセスしている場合に、操作パネル状態判別部１０１は、操作パネル１０で複合機１の設定若しくは制御（複合機１に係わる制御）操作がなされていると判断する。
【００３５】
一方、操作パネル１０のｗｅｂブラウザが上述したループバックアドレス若しくは、複合機１自身のＩＰアドレス以外のＩＰアドレスやＵＲＬにアクセスしている場合は、操作パネル状態判別部１０１は、操作パネル１０上で外部アクセス操作がなされていると判断する。なお、操作パネル１０のｗｅｂブラウザがアクセスしている外部サーバから、制御コマンドが送られてきた場合、操作パネル状態判別部１０１は、操作パネル１０で複合機１の設定若しくは制御（複合機１に係わる制御）操作がなされていると判断する。
【００３６】
この操作パネル状態判別部１０１において、操作パネル１０で複合機１に係わる制御操作がなされていると判断された場合、詳細は後述するが、操作パネル１０操作中であってもプリントジョブの実行が行われることとなる。
【００３７】
図６に戻り、ジョブ発行元判別部１０２は、操作パネル１０で外部アクセス操作中にプリントジョブを受信した場合に、該プリントジョブの発行元の外部サーバと、上述した操作パネル１０からアクセス中の外部サーバとが同一であるか否かを判別する処理部である。
【００３８】
このジョブ発行元判別部１０２において、操作パネル１０でアクセス中の外部サーバと、受信したプリントジョブの発行元の外部サーバとが同一であると判別された場合は、詳細は後述するが、操作パネル１０操作中であってもプリントジョブの実行が行われることとなる。
【００３９】
ジョブ制御部１０３は、上記図４で説明したネットワークＩ／Ｆ２８で受信したプリントジョブを実行する処理部である。すなわち、操作パネル１０が操作中であっても、上述した操作パネル状態判別部１０１において、操作パネル１０上で複合機１に係わる制御操作がなされていると判断された場合や、上述したジョブ発行元判別部１０２において、操作パネル１０でアクセス中の外部サーバと、受信したプリントジョブの発行元外部サーバとが同一であると判別された場合は、画像出力部３２と連携してプリントジョブの実行を行う。一方、操作パネル状態判別部１０１およびジョブ発行元判別部１０２において、上述した以外の判別結果がなされた場合は、プリントジョブを記憶部２９に格納し、ジョブ実行待ちとする。
【００４０】
図８は、図１に示した複合機１における制御処理の動作を説明するフローチャートである。
【００４１】
この制御処理は、ネットワーク２上のアプリケーションサーバ３若しくは外部サーバからプリントジョブを受信すると開始される（ステップＳ１０１でＹＥＳ）。
【００４２】
この処理が開始されると、まず、操作パネル１０が操作中であるか否かの判断処理が行われる（ステップＳ１０２）。
【００４３】
判断処理の結果、操作パネル１０が操作中でないと判断された場合は（ステップＳ１０２でＮＯ）、受信したプリントジョブを実行後（ステップＳ１０７）、所定の出力先へ排紙して（ステップＳ１０８）、この制御処理を終了するが、操作パネル１０が操作中であると判断された場合は（ステップＳ１０２でＹＥＳ）、使用状態が外部アクセス中であるか否かを判断する（ステップＳ１０３）。すなわち、操作パネル状態判別部１０１において、操作パネル１０でなされている操作が、複合機１に係わる制御操作であるか、若しくは外部アクセス操作であるかの判断を行う。
【００４４】
判断処理の結果、操作パネル１０で複合機１に係わる制御操作がなされていると判断された場合は（ステップＳ１０３でＮＯ）、受信したプリントジョブを実行後（ステップＳ１０７）、所定の出力先へ排紙して（ステップＳ１０８）、この制御処理を終了する。この所定の出力先とは、操作パネル１０操作中のユーザが使用する排紙トレイとは別の排紙トレイを指す。すなわち、操作パネル１０操作中のユーザと排紙先を別にすることで、出力原稿が混在することを防ぎ、操作パネル１０操作中のユーザが混乱しないようにする。
【００４５】
また、ステップＳ１０２での判断処理の結果、操作パネル１０で外部アクセス操作がなされていると判断された場合は（ステップＳ１０３でＹＥＳ）、外部アクセス先から制御コマンドを受信したか否かを判断する（ステップＳ１０４）。先に述べた通り、操作パネル１０でアクセス中の外部サーバから制御コマンドが送られてきた場合にも、操作パネル状態判別部１０１は、操作パネル１０で複合機１に係わる制御操作がなされていると判断する。
【００４６】
ここで、外部アクセス先から制御コマンドを受信した場合は（ステップＳ１０４でＹＥＳ）、受信したプリントジョブを実行後（ステップＳ１０７）、所定の出力先へ排紙して（ステップＳ１０８）、この制御処理を終了するが一方、外部アクセス先から制御コマンドの受信がない場合は（ステップＳ１０４でＮＯ）、ステップＳ１０１で受信したプリントジョブの発行元外部サーバと、操作パネル１０でアクセス中の外部サーバとが同一であるか否かを判断する（ステップＳ１０５）。この判断処理は、ジョブ発行元判別部１０２によって行われ、上記図２でｗｅｂブラウザに入力されたＩＰアドレス若しくはＵＲＬと、プリントジョブ発行元の外部サーバのＩＰアドレス若しくはＵＲＬとが一致するか否かを判断する。
【００４７】
判断処理の結果、ＩＰアドレス若しくはＵＲＬが一致すると判断された場合は（ステップＳ１０５でＹＥＳ）、受信したプリントジョブを実行後（ステップＳ１０７）、所定の出力先へ排紙して（ステップＳ１０８）、この制御処理を終了するが、ＩＰアドレス若しくはＵＲＬが異なると判断された場合は（ステップＳ１０５でＮＯ）、ジョブ制御部１０３が受信したプリントジョブを記憶部２９に格納してジョブ実行待ちとし（ステップＳ１０６）、この制御処理を終了する。
【００４８】
以上説明したように本発明においては、操作パネル１０が操作中であっても、操作パネル１０で行われている操作がプリントジョブ実行操作以外であれば、外部サーバなどから受信したプリントジョブの実行を行えるようにしたため、複合機１の使用効率を向上させることができる。
【実施例２】
【００４９】
上記実施例１では、操作パネル１０で外部アクセス中にプリントジョブを受信した場合に、プリントジョブ発行元の外部サーバと、アクセス中の外部サーバが同一であるか否かの判断を行う際に、プリントジョブ発行元の外部サーバのＩＰアドレス若しくはＵＲＬと、ｗｅｂブラウザに入力されたＩＰアドレス若しくはＵＲＬとが一致するか否かで判断する場合（上記図８で説明したステップＳ１０５）を説明したが、実施例２においては、プリントジョブにジョブＩＤを付加することで、プリントジョブの発行元を特定する場合を説明する。
【００５０】
図９は、図４に示したメインＣＰＵ２２の機能的な構成の一部を示す機能ブロック図であり、上記実施例１を説明した図６の構成にジョブＩＤ送信部１０４を加えて構成したものである。なお、図６と同一の符号が付してあるものは略同様に動作するため、説明を省略するものもある。
【００５１】
ジョブＩＤ送信部１０４は、プリントジョブに付加するジョブＩＤを生成し、該プリントジョブを発行する外部サーバにジョブＩＤを送信する処理部である。この際、生成したジョブＩＤをジョブ発行元判別部１０２に通知する。
【００５２】
ジョブ発行元判別部１０２は、上述したジョブＩＤ送信部１０４で生成されたジョブＩＤの通知を受け付け、該ジョブＩＤに基づいて、プリントジョブ発行元の外部サーバを判別する。具体的には、操作パネル１０で外部アクセス中にプリントジョブを受信した場合に、受信したプリントジョブにジョブＩＤが付加されているか否かを判別し、ジョブＩＤが付加されている場合には、ジョブＩＤ送信部１０４で生成および送信したジョブＩＤと同一であるか否かを判別する。ここで、ジョブＩＤが同一であると判別された場合は、操作パネル１０操作中であっても、受信したプリントジョブの実行がなされることとなる。
【００５３】
図１０は、ジョブＩＤ付きのプリントジョブを発行する際の処理の流れを示すシーケンスチャート図である。なお、ここでは、プリントジョブ発行元の外部サーバがアプリケーションサーバ３である場合を説明する。
【００５４】
まず、ユーザが複合機１に配設される操作パネル１０からアプリケーションサーバ３へアクセスし、かかるサーバで管理される文書ファイルから所望する文書ファイルを選択後、印刷指示を行う。すなわち、図３に示す文書の確認画面（矢印より下）で印刷ボタンを押下する。
【００５５】
この操作によって、複合機１からアプリケーションサーバ３へとプリントジョブ発行指示が送信される。一方、アプリケーションサーバ３は、プリントジョブ発行指示受信とともに、ＩＤ取得要求を複合機１へと送信する。
【００５６】
このＩＤ取得要求を受信した複合機１は、ジョブＩＤ送信部１０４でプリントジョブＩＤを発行し、該ジョブＩＤをアプリケーションサーバ３へ送信する。アプリケーションサーバ３は、このジョブＩＤを付加したプリントジョブを複合機１へと送信する。このジョブＩＤ付きのプリントジョブは、ジョブ発行元判別部１０２によってプリントジョブ発行元がアプリケーションサーバ３であると判別されることとなる。
【００５７】
上述したように実施例２においては、プリントジョブにジョブＩＤを付加することで、プリントジョブ発行元を特定する。この場合にも、上記実施例１で説明した複合機１と同様の制御処理が行えることとなる。
【００５８】
なお、上記実施例においては、本発明に係わる画像処理装置を複合機１に適用する場合を説明したが、この画像処理装置の制御方法を複合機１にインストールされた制御プログラムにより実行させるように構成してもよい。
【００５９】
この他、本発明は、上記および図面に示す実施例に限定することなく、その要旨を変更しない範囲内で適宜変形して実施できるものである。例えば、本発明は複合機に限らず、プリンタ、ファックス、コピー機などの画像処理装置全般に適用可能であることはいうまでもない。
【産業上の利用可能性】
【００６０】
本発明の画像処理装置およびその制御方法および制御プログラムは、操作パネルを有して、該操作パネルからの操作により外部サーバにアクセス可能な画像処理装置全般に適用可能であり、特に、ジョブ実行待ちが多発するオフィス環境等において有効に利用することができる。
【図面の簡単な説明】
【００６１】
【図１】本発明に係わる画像処理装置を複合機１に適用して構成したシステムの全体構成を示す図である。
【図２】操作パネル１０に表示される（接続先ＵＲＬ入力）画面レイアウトの一例を示す図である。
【図３】操作パネル１０に表示される（文書一覧および文書の確認）画面レイアウトの一例を示す図である。
【図４】図１に示した複合機１の内部構成を示すブロック図である。
【図５】操作パネル１０に表示される（メニュー画面）画面レイアウトの一例を示す図である。
【図６】図４に示したメインＣＰＵ２２の機能的な構成の一部を示す機能ブロック図である。
【図７】図６に示した操作パネル状態判別部１０１で行われる判断処理の判断基準を一覧にして示す図である。
【図８】図１に示した複合機１における制御処理の動作を説明するフローチャートである。
【図９】実施例２に係わるメインＣＰＵ２２の機能的な構成の一部を示す機能ブロック図である。
【図１０】実施例２に係わるジョブＩＤ付きのプリントジョブを発行する際の処理の流れを示すシーケンスチャート図である。
【符号の説明】
【００６２】
１    複合機
２    ネットワーク
３    アプリケーションサーバ
１０    操作パネル
２０    コントローラ部
２１    パネルＩ／Ｆ（Interface）
２２    メインＣＰＵ（Central Processing Unit）
２３    システムメモリ
２４    内部サーバ
２５    画像メモリ
２６    入力部Ｉ／Ｆ（Interface）
２７    出力部Ｉ／Ｆ（Interface）
２８    ネットワークＩ／Ｆ（Interface）
２９    記憶部
３０    エンジン部
３１    画像入力部
３２    画像出力部
１０１    操作パネル状態判別部
１０２    ジョブ発行元判別部
１０３    ジョブ制御部
１０４    ジョブＩＤ送信部
【図１】
2006092182.tif 000003
【図２】
2006092182.tif 000004
【図３】
2006092182.tif 000005
【図４】
2006092182.tif 000006
【図５】
2006092182.tif 000007
【図６】
2006092182.tif 000008
【図７】
2006092182.tif 000009
【図８】
2006092182.tif 000010
【図９】
2006092182.tif 000011
【図１０】
2006092182.tif 000012